(57)【要約】【課題】連続販売動作により庫内から払出した複数本の商品が商品取出口の中に積み重なった状況でも、商品を容易に取り出せるようにする。【解決手段】外扉２の商品取出口５に取出口扉５ｂ付きの箱型容器５ａを装備し、断熱内扉３の商品払出口７にはフラッパ８と組合せたフラッパ枠９を装着した自動販売機の商品取出装置において、前記フラッパ枠に、その下辺枠９ａから前方に突き出して商品取出口内に搬出された商品の収納姿勢がブリッジしないように規正する姿勢ガイド部材として、フラッパ枠の下辺枠に沿ってその前面に突起９ｂを設ける。これにより、連続販売動作で商品取出口に払出した商品１１が商品払出口との間に積み重なってフラッパが商品取出口の中に突き出した状態になっても、前方からフラッパを押し込むことで商品（＃２）が後退し、商品取出口の底部に溜まっている商品（＃１）を自由に取り出せる。【選択図】　　　図１
2004046480.tif 000002
【特許請求の範囲】
【請求項１】
商品収納ラックを搭載した本体キャビネットの前面に配した外扉に商品取出口を備えるとともに、断熱内扉には庫内側の商品搬出通路と前記商品取出口との間を連係するフラッパ付き商品払出口を開口し、販売動作に基づき商品収納ラックから搬出した商品を前記商品払出口を経由して商品取出口に送出するようにした自動販売機の商品取出装置であり、前記商品取出口に庫内の商品収納ラックから搬出した商品を受容する取出口扉付きの箱型容器を装備し、商品払出口にはフラッパと組合せたフラッパ枠を装着したものにおいて、
前記フラッパ枠に、その下辺枠から前方に突き出して商品取出口に搬出された商品の積み重ね姿勢を規正する姿勢ガイド部材を設けたことを特徴とする自動販売機の商品取出装置。
【請求項２】
請求項１記載の商品取出装置において、姿勢ガイド部材が、フラッパ枠の下辺枠に沿ってその前面に分散形成した突起であることを特徴とする自動販売機の商品取出装置。
【発明の詳細な説明】
【０００１】
【発明の属する技術分野】
本発明は、缶，びん商品などを販売する自動販売機の商品取出装置、具体的には断熱内扉の商品払出口に設けたフラッパ枠の構造に関する。
【０００２】
【従来の技術】
まず、サーペンタイン式自動販売機を例に、頭記した自動販売機の構成を図２示す。図において、１は自動販売機の本体キャビネット、２は前面外扉、３は断熱内扉、４は本体キャビネット１の庫内に搭載したサーペンタイン式商品収納ラック、５は外扉２に装備した商品取出口、６は商品搬出シュータ、７は商品搬出シュータ６と商品取出口５との間を連係して断熱内扉３に開口した商品払出口、８は該商品払出口７に設けたフラッパ（開閉扉）、９は庫内底部に設けた冷却／加熱ユニット、１０は冷凍機のコンデンシングユニットである。
【０００３】
上記構成の自動販売機の販売動作は周知の通りであり、商品収納ラック４に収納されている商品１１は、販売動作により商品収納ラック４から落下搬出した後、商品搬出シュータ６の斜面を転動し、前記フラッパ８を押し開いて商品取出口５に払出される。
次に、前記の商品取出口５，商品払出口８を組合せた商品取出装置の従来例として、特開平８−３２０９６２号公報に開示されている構造を図３（ａ），（ｂ）　に示す。すなわち、商品取出口５は、庫内から払出した商品を受容する箱型容器５ａと、その前面に設けた取出口扉５ｂを外扉２に組付けた構成になる。一方、断熱扉３に開口した商品払出口８には、図３（ｂ）　で示すような窓枠形状のフラッパ枠（樹脂成形品）９を嵌着し、このフラッパ枠９にフラッパ８が支軸８ａを介して前方へ開閉自在に吊り下げ支持され、常時はフラッパ８を閉位置に保持して商品払出口７を閉塞している。なお、１２は本体キャビネット１と断熱内との合わせ面に敷設したガスケットである。
【０００４】
【発明が解決しようとする課題】
ところで、前記した商品取出装置の従来構造では、商品取出口から商品を外部に取出す際の操作性で次に記すような問題点がある。
すなわち、商品販売動作ごとに１本ずつ商品取出口に払出した商品をその都度外部に取り出せば問題ないが、連続販売（同じ客が複数本の商品を続けて購入する販売）により庫内から商品取出口５に払出した複数本の商品１１をその都度取り出さずに商品取出口５の中に溜めて後から纏めて取り出そうとすると、図３（ａ）　で表すように最初に払出した商品（＃１）の上に後から払出した商品（＃２）が積み重なって商品取出口５と断熱内扉３のフラッパ枠９との間に連なってブリッジしてしまうことがある。特に最近の薄型構造の自動販売機では、商品取出口５の奥行き寸法が狭いために、連続販売時に商品のブリッジが起こり易い傾向にある。
【０００５】
このように払出した商品１１がブリッジ状態になると、商品取出口５の取出口扉５ｂを開いてその中に溜まっている商品（＃１）を取り出そうとしても、２番目の商品（＃２）に押されて商品取出口５の中に突き出して半開しているフラッパ８（フラッパは図示してない防盗板により開放角度が制約されて全開できないようになっている）が邪魔になって商品取出口５の箱型容器５ａの底に溜まっている商品（＃１）を自由に取り出すことができない。また、この場合に商品取出口５に差し入れた手でフラッパ８を後方に押し退けようとしても、その背後に並ぶ商品（＃２）がフラッパ８に加えた力Ｆで矢印Ａ方向に押され、フラッパ枠９の下辺枠に形成した段部（フラッパ８の受座を形成するように段付き形状になる）に押し付けられてしまってその位置から排除できない。そのために、やむを得ずフラッパ８を手前に引いてその隙間から手先で商品（＃２）をフラッパ枠９の後方（庫内側）に押し退けながら、フラッパ８をフラッパ枠９に当たる位置まで押し込んで商品取出口５の容器底部に溜まっている最初の商品（＃１）を取り出すなどの面倒な操作が必要となる。なお、商品取出口５の底部から最初に払出し商品（＃１）を取り出すと、２番目の商品（＃２）は自重で商品取出口の中に転がり落ちるので、以降は前記と同様な手順で連続販売された商品を順に取り出すことができる。
【０００６】
本発明は上記の点に鑑みなされたものであり、連続販売動作により庫内から払出した複数本の商品が商品取出口の中に積み重なって溜まっている状況でも、支障無く商品取出口から商品を容易に取り出せるように構造を改良した自動販売機の商品取出装置を提供することを目的とする。
【０００７】
【課題を解決するための手段】
上記目的を達成するために、本発明によれば、商品収納ラックを搭載した本体キャビネットの前面に配した外扉に商品取出口を備えるとともに、断熱内扉には庫内側の商品搬出通路と前記商品取出口との間を連係するフラッパ付き商品払出口を開口し、販売動作に基づき商品収納ラックから搬出した商品を前記商品払出口を経由して商品取出口に送出するようにした自動販売機の商品取出装置であり、前記商品取出口に庫内の商品収納ラックから搬出した商品を受容する取出口扉付きの箱型容器を装備し、商品払出口にはフラッパと組合せたフラッパ枠を装着したものにおいて、
前記フラッパ枠に、その下辺枠から前方に突き出して商品取出口内に搬出された商品の積み重ね姿勢がブリッジしないように規正する姿勢ガイド部材を設ける（請求項１）ものとし、具体的には前記の姿勢ガイド部材を、フラッパ枠の下辺枠に沿ってその前面に分散形成した突起で構成する（請求項２）。
【０００８】
上記のように商品取出口に通じる断熱内扉の商品払出口に装着したフラッパ枠について、その下辺枠に前方に突き出す突起状の姿勢ガイド部材を設けたことにより、商品の連続販売動作で商品取出口に払出した商品のうち、最初に払出した商品の上に積み重なった２番目の商品が前記の姿勢ガイド部材に受け止められてフラッパ枠の下辺枠の段部から浮いた状態に保持される。これにより、商品取出口から商品を取り出す際に、商品に押されて商品取出口の中に半開状態で突き出しているフラッパを押し込むと、その背後の商品はフラッパ枠の下部枠に拘束されることなく庫内側に後退するので、商品取出口の底部に溜まっている商品をフラッパに邪魔されることなく自由に取り出すことができるようになる。なお、商品取出口から最初に払出した商品を取り出すと、庫内側に一旦後退した２番目の商品は自重で商品取出口の中に転がり落ちるので、前記と同様な操作を繰り返すことで連続販売された商品を順に商品取出口から取り出すことができる。
【０００９】
【発明の実施の形態】
以下、本発明の実施の形態を図１（ａ），（ｂ）　に示す実施例に基づいて説明する。なお、実施例の図中で図３に対応する部材には同じ符号を付してその説明は省略する。
すなわち、図示実施例の商品取出口５，および断熱内扉３の商品払出口７に装着したフラッパ８付きのフラッパ枠９は、基本的に図３に示した従来構造と同じであるが、図示実施例ではフラッパ枠９に、商品の姿勢ガイド部材として、図１（ａ）　で示すように下辺枠９ａの前面数カ所に分けて前方に突き出した突起９ｂがフラッパ枠（樹脂成形品）９に一体成形されている。
【００１０】
上記の構成で、商品が連続販売されると、図１（ａ）　で表すように、最初に払出した商品（＃１）の上に積み重なった商品（＃２）は前記突起９ｂに受け止められる。この状態を図３に示した積み重ね姿勢と比べると、商品（＃２）はフラッパ枠９の下辺枠９ａの段部から浮いた状態に保持されることになる。なお、フラッパ８は、図３と同様に２番目の商品（＃２）に押されて商品取出口５の中に突き出し（半開）ている。
【００１１】
ここで、連続販売動作が終了した後に、取出口扉５ａを開いて商品取出口５の箱型容器５ａに溜まっている商品（＃１）を取り出す際に、その商品の取り出しに邪魔な半開状態のフラッパ８を手で押し込むと、その押し込み力Ｆにより、商品（＃２）は前記突起９ｂとの当接点Ｐを支点に矢印Ｂ方向の分力を受けて庫内側に後退するとともに、フラッパ８も実線位置から鎖線位置に後退する。これにより、フラッパ８に邪魔されることなく商品取出口５の中から商品（＃１）を自由に取り出すことかできる。また、商品（＃１）を外部に取り出すと、庫内側に一旦後退していた商品（＃２）は自重でフラッパ８を押し開きながら商品取出口５の中に転がり落ちるとともに、フラッパ８も閉位置に揺動してフラッパ枠９へ後退するので、続いて商品（＃２）を自由に取り出すことできる。
【００１２】
【発明の効果】
以上述べたように、本発明によれば、外扉の商品取出口に取出口扉付きの箱型容器を装備し、断熱内扉の商品払出口にはフラッパと組合せたフラッパ枠を装着した自動販売機の商品取出装置において、前記フラッパ枠に、その下辺枠から前方に突き出して商品取出口内に搬出された商品の積み重ね姿勢がブリッジしないように規正する姿勢ガイド部材として、フラッパ枠の下辺枠に沿ってその前面に突起を設けたことにより、
商品の連続販売動作により、商品取出口に払出した商品が断熱内扉の商品払出口との間に積み重なり、このためにフラッパが半開となって商品取出口の中に突き出した状態になっても、前方からフラッパを押し込むことで、積み重なっている上位の商品が庫内側に一旦後退するので、これにより商品取出口の底部に溜まっている商品をフラッパに邪魔されることなく自由に取り出すことができ、自動販売機での連続販売時に従来問題となっていた商品取出し性の改善を図ることができる。
【図面の簡単な説明】
【図１】本発明の実施例による商品取出装置の構成図で、（ａ）　は商品取出口周辺の構造を表す縦断側面図、（ｂ）　は（ａ）　におけるフラッパ枠の外形斜視図
【図２】本発明の実施対象となる自動販売機の全体構成図
【図３】従来における商品取出装置の構成図で、（ａ）　は商品取出口周辺の構造を表す縦断側面図、（ｂ）　は（ａ）　におけるフラッパ枠の外形斜視図
【符号の説明】
１　　本体キャビネット
２　　外扉
３　　断熱内扉
４　　商品収納ラック
５　　商品取出口
５ａ　箱型容器
５ｂ　取出口扉
６　　商品搬出シュータ
７　　商品払出口
８　　フラッパ
９　　フラッパ枠
９ａ　フラッパ下辺枠
９ｂ　突起（姿勢ガイド部材）
【図１】
2004046480.tif 000003
【図２】
2004046480.tif 000004
【図３】
2004046480.tif 000005